(57)【要約】 【課題】本発明は、「タクシー内忘れ物防止、発見のためのタクシー乗務員自身による目視による後部座席付近の確認が困難である。」「乗客の降車時のみ後部座席付近が確認できるようにしたい。」「夜間でも良好な後部座席付近の確認がしたい。」などの、課題、要望に答えるものである。 【解決手段】このような目的を達成するための本発明は、乗客の不興を買わないため乗客の降車時のみ、カメラ受像機で後部座席付近を撮影し、タクシー乗務員の見やすい、タクシー前部に設置されたディスプレイに映し出すことでタクシー乗務員による客の忘れ物発見を容易にしようとするもので、さらに夜間対応として本タクシー内忘れ物発見システムに暗視機能を備えさせようとするものである。 【選択図】図１2018024263.tif 000003
2018024263.tif 000002
【特許請求の範囲】
【請求項１】
タクシー内を撮影するタクシー内に設置されたカメラ受像機により撮影された映像をタクシー内前部に設置されたディスプレイに表示するタクシー内忘れ物発見システム
【請求項２】
タクシー内後部を撮影するタクシー内天井部に設置されたカメラ受像機により撮影された映像をタクシー前部に設置されたディスプレイに表示するタクシー内忘れ物発見システム
【請求項３】
請求項１、２記載のタクシー内忘れ物発見システムにおいて、タクシー内忘れ物発見システムはデジタルシステムであるタクシー内忘れ物発見システム
【請求項４】
請求項１〜３記載のタクシー内忘れ物発見システムにおいて、カメラ受像機により撮影された映像は客の降車時の一定時間間隔のみディスプレイに表示されるタクシー内忘れ物発見システム
【請求項５】
請求項１〜４記載のタクシー内忘れ物発見システムにおいて、タクシー内忘れ物発見システムは暗視機能を備えるものであるタクシー内忘れ物発見システム
【請求項６】
請求項１〜４記載のタクシー内忘れ物発見システムにおいて、降中時に車内ライトが点灯するようにしたタクシー内忘れ物発見システム
【発明の詳細な説明】
【技術分野】
【０００１】  本発明は、タクシー内忘れ物防止、発見システムに関し、特にはカメラ受像機、映像情報処理部、映像情報入出力部、ディスプレイ、電源部から成るタクシー内忘れ物防止、発見システムに関する。
【背景技術】
【０００２】  タクシー内忘れ物の件数は非常に多く、乗客、タクシー乗務員、タクシー会社にとって負担は大きい。結局忘れ物が出てこないケースも少なくない。【０００３】  従来、タクシー内忘れ物防止、発見に関しては、降車時のタクシー乗務員自身による目視による後部座席付近の確認などが行われている。
しかしタクシー乗務員自身による目視による後部座席付近の確認については、通常タクシーは乗客の降車後すぐに発進しなければならず、確認のための時間がわずかしか取れないのと、運転席に座ったまま後部座席付近を確認するため、死角が多く不十分な確認しか出来ない。【０００４】  特許文献１のミラーによる確認については、常時後部を覗かれているようで乗客が不快に感ずるのと、夜間には良く見えないなどの問題がある。
【先行技術文献】
【特許文献】
【０００５】
【特許文献１】実用新案登録第３１３４８４６号公報
【発明が解決しようとする課題】
【０００６】  本発明は、タクシー内忘れ物防止、発見のためのタクシー乗務員自身による目視による後部座席付近の確認が困難である。乗客の降車時のみ後部座席付近が確認できるようにしたい。夜間でも良好な後部座席付近の確認がしたいなどの、課題、要望に答えるものである。
【課題を解決するための手段】
【０００７】  このような目的を達成するための本発明は、乗客の不興を買わないため乗客の降車時のみ、カメラ受像機で後部座席付近を撮影し、タクシー乗務員の見やすい、タクシー前部に設置されたディスプレイに映し出すことでタクシー乗務員による乗客の忘れ物発見を容易にしようとするもので、さらに夜間対応として本タクシー内忘れ物発見システムに暗視機能を備えさせようとするものである。
【発明を実施するための最良の形態】
【０００８】  好ましくはタクシーの後部座席付近全体が撮影出来る位置に、カメラ受像機を設置する。映像情報は、入力部、映像情報処理部、出力部を通してタクシー前部に設置されたディスプレイに映し出される。タクシー乗務員は映像を見て忘れ物の有無を確認する。尚、本タクシー内忘れ物発見システムはデジタルシステムであることが好ましい。【０００９】  カメラ受像機を設置する位置はタクシーの後部座席付近全体が撮影出来る位置ならどこでも良いが、タクシーの後部天井部が好ましい。【００１０】  カメラ受像機は、デジタルカメラ受像機が好ましく、また広角性、暗視性、高感度性、近遠赤外線感知能を備えたものが好ましい。近赤外線を用いる場合には、近赤外線照射機能も必要となる。また乗客降車時に車内ライトが点灯できるようにしてもよい。【００１１】  情報処理部では、乗客が不快に感じないように、あまり鮮明に移らないようにぼかしたり、デフォルメしたり、忘れ物品を強調表示したり出来る機能を持たせるようにしてもよい。また情報処理は無線を通じて他所で行ってもよい。【００１２】  ディスプレイとしては、ほとんどのタクシーに設置されているカーナビのディスプレイを兼用するのが好ましい。カーナビのディスプレイは通常はカーナビとしてつかうのであり、乗客が不快に感じないように乗客降車時の短い時間間隔のみ表示されるようにすることが好ましい。後部ドアの開放、料金メーターの操作などより乗客の降車時を検知するようにする。
【発明の効果】
【００１３】  本発明によりタクシー乗務員は容易に昼夜間を問わず忘れ物の有無を確認できる。乗客の降車時のみディスプレイに表示されるので乗客が不快に感ずることはない。乗客、タクシー乗務員、タクシー会社にとって負担は大きい忘れ物の件数を劇的に減らすことが出来る。
【図面の簡単な説明】
【００１４】
【図１】請求項１記載のタクシー内忘れ物発見システム車内取り付け具体的実施例外観図。
【図１】
2018024263.tif 000004
【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
タクシー内を撮影するタクシー内に設置されたカメラ受像機により撮影された映像をタクシー内前部に設置されたディスプレイに表示するタクシー内忘れ物発見システム
【請求項２】
タクシー内後部座席付近全体を撮影するタクシー内後部天井部に設置されたカメラ受像機により撮影された映像をタクシー前部に設置されたディスプレイに表示するタクシー内忘れ物発見システム
【請求項３】
請求項１、２記載のタクシー内忘れ物発見システムにおいて、前記タクシー内忘れ物発見システムはデジタルシステムであるタクシー内忘れ物発見システム
【請求項４】
請求項１〜３記載のタクシー内忘れ物発見システムにおいて、前記カメラ受像機により撮影された映像は客の降車時に前記ディスプレイに表示されるタクシー内忘れ物発見システム
【請求項５】
請求項１〜３記載のタクシー内忘れ物発見システムにおいて、前記カメラ受像機により撮影された映像は客の降車時の一定時間間隔のみ前記ディスプレイに表示されるタクシー内忘れ物発見システム
【請求項６】
請求項１〜５記載のタクシー内忘れ物発見システムにおいて、前記タクシー内忘れ物発見システムは暗視機能を備えるものであるタクシー内忘れ物発見システム
【請求項７】
請求項１〜５記載のタクシー内忘れ物発見システムにおいて、降車時に車内ライトが点灯するようにしたタクシー内忘れ物発見システム
【請求項８】
タクシー内を撮影するタクシー内に設置されたカメラ受像機により撮影された映像をタクシー内前部に設置されたディスプレイに表示するタクシー内忘れ物発見方法
【請求項９】
タクシー内後部座席付近全体を撮影するタクシー内後部天井部に設置されたカメラ受像機により撮影された映像をタクシー前部に設置されたディスプレイに表示するタクシー内忘れ物発見方法
【請求項１０】
請求項８、９記載のタクシー内忘れ物発見方法において、前記タクシー内忘れ物発見方法はデジタルシステムを用いたものであるタクシー内忘れ物発見方法
【請求項１１】
請求項８〜１０記載のタクシー内忘れ物発見方法において、前記カメラ受像機により撮影された映像は客の降車時に前記ディスプレイに表示されるタクシー内忘れ物発見方法
【請求項１２】
請求項８〜１０記載のタクシー内忘れ物発見方法において、前記カメラ受像機により撮影された映像は客の降車時の一定時間間隔のみ前記ディスプレイに表示されるタクシー内忘れ物発見方法
【請求項１３】
請求項８〜１２記載のタクシー内忘れ物発見方法において、前記タクシー内忘れ物発見方法は暗視機能を備えるものであるタクシー内忘れ物発見方法
【請求項１４】
請求項８〜１２記載のタクシー内忘れ物発見方法において、降車時に車内ライトが点灯するようにしたタクシー内忘れ物発見方法
【手続補正２】
【補正対象書類名】明細書
【補正対象項目名】０００６
【補正方法】変更
【補正の内容】
【０００６】
本発明は、「タクシー内忘れ物防止、発見のためのタクシー乗務員自身による目視による後部座席付近の確認が困難である。」「乗客の降車時のみ後部座席付近が確認できるようにしたい。」「夜間でも良好な後部座席付近の確認がしたい。」などの、課題、要望に答えるものである。
【手続補正書】
【提出日】平成27年3月4日(2015.3.4)
【手続補正１】
【補正対象書類名】特許請求の範囲
【補正対象項目名】全文
【補正方法】変更
【補正の内容】
【特許請求の範囲】
【請求項１】
タクシー内後部座席付近全体を撮影するタクシー内後部天井部に設置されたカメラ受像機により撮影された映像をタクシー前部に設置されたディスプレイに表示するタクシー内忘れ物発見システム
において、前記カメラ受像機により撮影された映像は客の降車時に前記ディスプレイに表示されるタクシー内忘れ物発見システム
【請求項２】
タクシー内後部座席付近全体を撮影するタクシー内後部天井部に設置されたカメラ受像機により撮影された映像をタクシー前部に設置されたディスプレイに表示するタクシー内忘れ物発見システム
において、前記カメラ受像機により撮影された映像は客の降車時の一定時間間隔のみ前記ディスプレイに表示されるタクシー内忘れ物発見システム
【請求項３】
請求項１又は２記載のタクシー内忘れ物発見システムにおいて、前記タクシー内忘れ物発見システムは暗視機能を備えるものであるタクシー内忘れ物発見システム
【請求項４】
請求項１又は２記載のタクシー内忘れ物発見システムにおいて、降車時に車内ライトが点灯するようにしたタクシー内忘れ物発見システム
【請求項５】
タクシー内後部座席付近全体を撮影するタクシー内後部天井部に設置されたカメラ受像機により撮影された映像をタクシー前部に設置されたディスプレイに表示するタクシー内忘れ物発見方法
において、前記カメラ受像機により撮影された映像は客の降車時に前記ディスプレイに表示されるタクシー内忘れ物発見方法
【請求項６】
タクシー内後部座席付近全体を撮影するタクシー内後部天井部に設置されたカメラ受像機により撮影された映像をタクシー前部に設置されたディスプレイに表示するタクシー内忘れ物発見方法
において、前記カメラ受像機により撮影された映像は客の降車時の一定時間間隔のみ前記ディスプレイに表示されるタクシー内忘れ物発見方法
【請求項７】
請求項５又は６記載のタクシー内忘れ物発見方法において、前記タクシー内忘れ物発見方法は暗視機能を備えるものであるタクシー内忘れ物発見方法
【請求項８】
請求項５又は６記載のタクシー内忘れ物発見方法において、降車時に車内ライトが点灯するようにしたタクシー内忘れ物発見方法